(57)【要約】【課題】本発明は、色素の退色が抑制された液体芳香剤組成物を提供することを主な課題とする。更に、揮散器等を用いて揮散させた場合、成分の析出が抑制された液体芳香剤組成物を提供することを第二の課題とする。【解決手段】液体芳香剤組成物に色素及びトリアジン骨格を有する紫外線吸収剤を配合することにより退色が抑制される。更に、シンナメート系紫外線吸収剤及び／又はベンゾフェノン系紫外線吸収剤を配合することにより、揮散に伴う成分の析出を抑制することができる。【選択図】なし【特許請求の範囲】
【請求項１】
色素及びトリアジン骨格を有する紫外線吸収剤を含有する液体芳香剤組成物。
【請求項２】
前記トリアジン骨格を有する紫外線吸収剤が、下記一般式（Ｂ１）で表わされる化合物である、請求項１に記載の液体芳香剤組成物：
【化１】
2014012052.tif 000023
（式中、Ｒb1、Ｒb2及びＲb3は、同一又は異なって、下記一般式（Ｂ１ａ）又は（Ｂ１ｂ）で表わされる：
【化２】
2014012052.tif 000024
（式（Ｂ１ａ）中、Ｒbiは水素原子、又は直鎖状若しくは分岐鎖状Ｃ1〜Ｃ10アルキル基を示す）；
【化３】
2014012052.tif 000025
（式（Ｂ１ｂ）中、Ｒbiiは直鎖状若しくは分岐鎖状Ｃ1〜Ｃ18アルキル基、Ｃ2〜Ｃ18アルケニル基又は式−ＣＨ2−ＣＨ（ＯＨ）−ＣＨ2−ＯＴ1（式中Ｔ1は水素原子又は直鎖状又は分岐鎖状Ｃ1〜Ｃ8アルキル基である）を示す）。
【請求項３】
前記トリアジン骨格を有する紫外線吸収剤が、ビスエチルヘキシルオキシフェノールメトキシフェニルトリアジンである、請求項１又は２に記載の液体芳香剤組成物。
【請求項４】
木質材料からなる揮散部材を介する揮散に使用される、請求項１〜３のいずれかに記載の液体芳香剤組成物。
【請求項５】
前記色素が赤色系色素である、請求項１〜４のいずれかに記載の液体芳香剤組成物。
【請求項６】
前記赤色系色素が、アントラキノン系の赤色色素、ナフタレン系色素及びペリノン系色素からなる群より選択される少なくとも１種である、請求項５に記載の液体芳香剤組成物。
【請求項７】
更に、シンナメート系紫外線吸収剤及び／又はベンゾフェノン系紫外線吸収剤を含む、請求項１〜６のいずれかの記載の液体芳香剤組成物。
【請求項８】
開口部を有する液体容器と、
木質材料からなる揮散部材と、
前記液体容器中に収容された請求項１〜７のいずれかに記載の液体芳香剤組成物とを含んで構成され、
前記揮散部材の少なくとも一部が前記液体芳香剤組成物に浸漬され、且つ前記揮散部材の少なくとも一部が前記開口部から空気中に露出可能に設置される、
揮散器。
【請求項９】
前記液体容器が、少なくとも一部に透明部分を含む、請求項８に記載の揮散器。
【発明の詳細な説明】
【技術分野】
【０００１】
本発明は、色素の退色が抑制された液体芳香剤組成物に関する。更に、本発明は揮散器等を用いて揮散させた場合、成分の析出が抑制された液体芳香剤組成物に関する。
【背景技術】
【０００２】
室内等に香気を分散させて快適な空間を生み出すため、香料を配合した芳香剤が広く使用されている。このような芳香剤の中でも、香料を溶媒に配合した液体の芳香剤は、簡便且つ持続的に香気を分散させることが可能であり、好んで使用されている。また、液体の芳香剤には様々な色素を添加して鮮やかな色調を付与し、消費者の嗜好性を満たす工夫がなされている。更に、このような室内に静置して揮散させるタイプの液体芳香剤について、様々な形状及び材質の揮散部材を用いて揮散性を高める方法が開発されている。従来、揮散部材としては不織布が一般的に使用されてきたが、近年では、揮散機能に加え優れた意匠性を付与できることから、木質材料からなる揮散部材が好まれている。例えば、揮散部材として籐等の木質材料を使用し、その木目や天然の風合いを損なわないように調製された芳香剤が提案されている（例えば、特許文献１を参照）。
【０００３】
通常、液体芳香剤は、その色調や揮散に伴う液体の減少の程度を視認できるように、透明部を有する容器に充填されて販売される。しかしながら、このような容器に充填され、使用されると、日光の照射等をうけて経時的に芳香剤の色素が退色して使用開始時の良好な外観が維持されないという問題があった。芳香剤の退色を抑制するため、酸化防止剤や紫外線吸収剤を添加することが検討されているが、液体芳香剤に関しては、芳香剤に添加される従来の紫外線吸収剤を用いても十分な退色抑制効果が得られず、使用開始時の明るい色調を維持することは困難であった。このような背景から、消費者の嗜好にあった鮮やかな色調を維持することができる液体芳香剤が切望されていた。
【先行技術文献】
【特許文献】
【０００４】
【特許文献１】特開２０１１−２１２２７１
【発明の概要】
【発明が解決しようとする課題】
【０００５】
本発明は、色素の退色が抑制された液体芳香剤組成物を提供することを主な課題とする。また、本発明は、揮散器等を用いて揮散させた場合、成分の析出が抑制された液体芳香剤組成物を提供することを第二の課題とする。
【課題を解決するための手段】
【０００６】
本発明者らは、上記課題を解決すべく鋭意検討を重ねた結果、色素にトリアジン骨格を有する紫外線吸収剤を組み合わせて用いることにより、色素の退色が抑制された液体芳香剤組成物が得られることを見出した。しかし、トリアジン骨格を有する紫外線吸収剤を含む液体芳香剤組成物は、退色は抑制されたものの、特に揮散部材によって揮散させた場合に揮散部材上に成分が析出して外観が損なわれるという新たな問題が生じた。そこで、本発明者らは、更に検討を重ね、トリアジン骨格を有する紫外線吸収剤に加え、シンナメート系紫外線吸収剤及び／又はベンゾフェノン系紫外線吸収剤を組み合わせて用いることにより、析出の問題が解消されることを見出した。本発明はこれらの知見に基づいて更に研究を重ねた結果完成されたものである。即ち、本発明は下記態様の組成物及び揮散器を提供する。
【０００７】
項１．色素及びトリアジン骨格を有する紫外線吸収剤を含有する液体芳香剤組成物。
項２．前記トリアジン骨格を有する紫外線吸収剤が、下記一般式（Ｂ１）で表わされる化合物である、項１に記載の液体芳香剤組成物：
【化１】
2014012052.tif 000002
（式中、Ｒb1、Ｒb2及びＲb3は、同一又は異なって、下記一般式（Ｂ１ａ）又は（Ｂ１ｂ）で表わされる：
【化２】
2014012052.tif 000003
（式（Ｂ１ａ）中、Ｒbiは水素原子、又は直鎖状若しくは分岐鎖状Ｃ1〜Ｃ10アルキル基を示す）；
【化３】
2014012052.tif 000004
（式（Ｂ１ｂ）中、Ｒbiiは直鎖状若しくは分岐鎖状Ｃ1〜Ｃ18アルキル基、Ｃ2〜Ｃ18アルケニル基又は式−ＣＨ2−ＣＨ（ＯＨ）−ＣＨ2−ＯＴ1（式中Ｔ1は水素原子又は直鎖状又は分岐鎖状Ｃ1〜Ｃ8アルキル基である）を示す）。
項３．前記トリアジン骨格を有する紫外線吸収剤が、ビスエチルヘキシルオキシフェノールメトキシフェニルトリアジンである、項１又は２に記載の液体芳香剤組成物。
項４．木質材料からなる揮散部材を介する揮散に使用される、項１〜３のいずれかに記載の液体芳香剤組成物。
項５．前記色素が赤色系色素である、項１〜４のいずれかに記載の液体芳香剤組成物。
項６．前記赤色系色素が、アントラキノン系の赤色色素、ナフタレン系色素及びペリノン系色素からなる群より選択される少なくとも１種である、項５に記載の液体芳香剤組成物。
項７．更に、シンナメート系紫外線吸収剤及び／又はベンゾフェノン系紫外線吸収剤を含む、項１〜６のいずれかの記載の液体芳香剤組成物。
項８．開口部を有する液体容器と、
木質材料からなる揮散部材と、
前記液体容器中に収容された項１〜７のいずれかに記載の液体芳香剤組成物とを含んで構成され、
前記揮散部材の少なくとも一部が前記液体芳香剤組成物に浸漬され、且つ前記揮散部材の少なくとも一部が前記開口部から空気中に露出可能に設置される、
揮散器。
項９．前記液体容器が、少なくとも一部に透明部分を含む、項８に記載の揮散器。
【発明の効果】
【０００８】
本発明の液体芳香剤組成物によれば、芳香剤組成物に含まれる色素の退色が抑制され、長期に亘って使用しても使用開始時と同様の鮮やかな色調を維持することができる。特に、本発明の液体芳香剤組成物は、日光照射による退色が顕著に抑制されることから、透明部分を有する容器に充填して使用した場合であっても所望の色調が維持される。従って、様々なカラーバリエーションの芳香剤組成物を提供することができ、消費者の要求に応え得る商品展開が可能である。更に、本発明の液体芳香剤組成物は、香気の揮散に伴って生じる成分の析出が抑制されている。従って、本発明の液体芳香剤組成物は、例えば棒状の揮散部材によって空間に香気を付与する場合であっても揮散部材上に成分が析出して外観を損なうことがなく、長期に亘って使用開始時と同等の優れた意匠性を維持することができる。
【図面の簡単な説明】
【０００９】
【図１】赤色系の液体芳香剤組成物の評価開始前の色調を表すカラー図である。
【図２】本発明の液体芳香剤組成物は、日光照射による退色が抑制されていることを示すカラー図である。
【図３】（Ｂ１）及び（Ｂ２）の紫外線吸収剤を併用することにより、成分の析出が抑制されていることを示すカラー図である。
【発明を実施するための形態】
【００１０】
液体芳香剤組成物
本発明の液体芳香剤組成物は、色素と、後述する一般式（Ｂ１）で表わされるトリアジン骨格とを有する紫外線吸収剤を含むことを特徴とする。本明細書において、本発明の液体芳香剤組成物を「本発明の組成物」と略記することがある。以下、本発明の組成物を構成する各成分について詳述する。
【００１１】
（Ａ）色素
本発明において色素の種類は特に限定されず、本発明の組成物に着色することが可能であれば、従来公知の顔料及び染料の中から所望の色調を適宜選択して用いることができる。また、（Ａ）成分として色素を１種単独で使用することもでき、２種以上を組み合わせて使用することもできる。本発明において（Ａ）成分として使用され得る色素の具体例について以下に示す。
【００１２】
（Ａ１）アントラキノン系色素
本発明においてアントラキノン系色素としては、従来公知のアントラキノン系の化合物の中から適宜選択して用いることができるが、例えば下記一般式（Ａ１）によって表わされる化合物を使用することができる。
【化４】
2014012052.tif 000005
（式中、Ｒa1、Ｒa2、Ｒa3、Ｒa4、Ｒa5、Ｒa6、Ｒa7及びＲa8は、同一又は異なって
、水素原子、水酸基、ハロゲン原子、アミノ基、Ｃ1〜4アルキルアミノ基、ジＣ1〜4アルキルアミノ基、（Ｃ1〜4アルキル）フェニルアミノ基、−ＳＯ3Ｍを示し、
ＭはＨ、Ｎａ、Ｋ、ＮＨ4、ＮＲa9Ｒa10Ｒa11Ｒa12を示し、
Ｒa9、Ｒa10、Ｒa11、Ｒa12は、同一又は異なって、Ｃ1〜10の置換若しくは非置換、飽和若しくは不飽和の脂肪族炭化水素基、又はＣ6〜10の置換若しくは非置換の芳香族炭化水素基を示す）。
【００１３】
上記一般式（Ａ１）において、Ｒa1〜Ｒa8で表わされるハロゲン原子としては、フッ素原子、塩素原子、臭素原子、ヨウ素原子が例示される。
【００１４】
上記一般式（Ａ１）において、Ｒa1〜Ｒa8で表わされるＣ1〜4アルキルアミノ基としては、メチルアミノ、エチルアミノ又はプロピルアミノが例示される。ジＣ1〜4アルキルアミノ基としては、ジメチルアミノ、ジエチルアミノ又はジプロピルアミノが例示される。
【００１５】
上記一般式（Ａ１）において、Ｒa1〜Ｒa8で表わされる（Ｃ1〜4アルキル）フェニルアミノ基としては、メチルフェニルアミノ、エチルフェニルアミノ又はプロピルフェニルアミノが例示される。
【００１６】
上記一般式（Ａ１）において、Ｒa9〜Ｒa12で表わされるＣ1〜10の置換若しくは非置換、飽和若しくは不飽和の脂肪族炭化水素基としては、メチル、エチル、プロピル、イソプロピル、ブチル、イソブチル、ｓｅｃ−ブチル、ｔｅｒｔ−ブチル、ペンチル、ヘキシル、オクチル、２−エチルヘキシル、ノニル、デシル等の直鎖状または分岐鎖のアルキル基；メトキシエチル、エトキシエチル、メトキシプロピル、アミノエチル、クロロエチル、ヒドロキシエチル等の置換アルキル基；プロペニル、ブテニル、ペンテニル、ヘキセニル等のアルケニル基等が例示される。
【００１７】
上記一般式（Ａ１）において、Ｒa9〜Ｒa12で表わされるＣ6〜10の置換若しくは非置換芳香族炭化水素基としては、フェニル、メチルフェニル、エチルフェニル、ヒドロキシフェニル、クロロフェニル、ニトロフェニル、ナフチル等が挙げられる。
【００１８】
上記一般式（Ａ１）における置換基の好ましい組み合せとしては、Ｒa1及びＲa4、又はＲa5及びＲa8のいずれかがＣ1〜4アルキルアミノ基であり、その他の置換基が水素原子である組み合せが例示される。このような置換基を有する上記一般式（Ａ１）で表わされるアントラキノン系色素は、青色を呈する。アントラキノン系の青色色素としてより具体的には１，４−ビス（エチルアミノ）アントラキノンが例示され、当該化合物はｋａｙａｓｅｔ  Ｂｌｕｅ  ＦＲ（日本化薬（株）製）として市販されている。他にも青色を呈するアントラキノン系色素として、例えばｋａｙａｓｅｔ  Ｂｌｕｅ  Ｎ（日本化薬（株）製）が市販されている。
【００１９】
他の好ましい態様において、上記一般式（Ａ１）における置換基の組み合せとしては、Ｒa2、Ｒa3、Ｒa6及びＲa7が水素原子であり、且つＲa1及びＲa4、又はＲa5及びＲa8のいずれかが（Ｃ1〜4アルキル）フェニルアミノ基であるか、又は水酸基である組み合せが例示される。このような置換基を有する上記一般式（Ａ１）で表わされるアントラキノン系色素は、緑色を呈する。アントラキノン系の緑色色素としてより具体的には１，４−ビス［（４−ブチルフェニル）アミノ］−５，８−ジヒドロキシ−９，１０−アントラセンジオンが例示され、当該化合物は「ｋａｙａｓｅｔ  Ｇｒｅｅｎ  Ａ−Ｇ」（日本化薬（株）製）として市販されている。他にも緑色を呈するアントラキノン系色素として、例えばｋａyａｆｅｃｔ  Ｇｒｅｅｎ  Ｇ（日本化薬（株）製）が市販されている。
【００２０】
また、アントラキノン系の赤色色素としてｋａｙａｓｅｔ  Ｒｅｄ  １３０（日本化薬（株）製）が市販されている。
【００２１】
（Ａ２）ナフタレン系色素
本発明においてナフタレン系色素としては、従来公知のものから適宜選択して用いることができるが、好ましくは赤色系のナフタレン系色素が挙げられる。ナフタレン系色素としては、例えば下記一般式（Ａ２）によって表わされる化合物を使用することができる。
【化５】
2014012052.tif 000006
（式（Ａ２）中、Ｒa13〜Ｒa15は、同一又は異なって水素原子、水酸基、アミノ基、Ｃ1〜Ｃ4アルキルアミノ基、ジＣ1〜Ｃ4アルキルアミノ基、フェニル基、アセトアミド基、直鎖状又は分岐状Ｃ1〜Ｃ10アルコキシ基又はハロゲン置換されてもよいフェノキシ基を示す。
【００２２】
上記式（Ａ２）において、Ｒa13〜Ｒa15で表わされるＣ1〜Ｃ4アルキルアミノ基としては、メチルアミノ、エチルアミノ又はプロピルアミノが例示される。ジＣ1〜Ｃ4アルキルアミノとしては、ジメチルアミノ、ジエチルアミノ又はジプロピルアミノが例示される。また、直鎖状又は分岐状Ｃ1〜Ｃ10アルコキシ基として好ましくは、直鎖状又は分岐状Ｃ1〜Ｃ5アルコキシ基が挙げられ、具体的にはメトキシ、エトキシ、プロポキシ、イソプロポキシ、ブトキシ、イソブトキシ、ｓｅｃ−ブトキシ、ｔｅｒｔ−ブトキシ又はペンチルオキシ基、イソペンチルオキシ、ネオペンチルオキシ、ｔｅｒｔ−ペンチルオキシが例示される。更に、ハロゲン置換されてもよいフェノキシ基としては、フェノキシ、２−クロロフェノキシ、３−クロロフェノキシ、４−クロロフェノキシ、４−フルオロフェノキシ、４−ブロモフェノキシ、４−ヨードフェノキシが例示される。
【００２３】
また、上記式（Ａ２）においてＸ2aで示される置換基は、水素原子又は下記一般式（Ａ２ａ）によって表わされる。
【化６】
2014012052.tif 000007
（式（Ａ２ａ）中、Ｒai及びＲaiiは同一又は異なって、水素原子、直鎖状若しくは分岐鎖状Ｃ1〜Ｃ20アルキル基、Ｃ7〜Ｃ20アラルキル基又はＣ6〜Ｃ19アリール基を示し、ｎは１〜５の整数を示す）。
【００２４】
更に、上記式（Ａ２）においてＸ2bで示される置換基は、水素原子又は下記一般式（Ａ２ｂ）によって表わされる。
【化７】
2014012052.tif 000008
（式（Ａ２ｂ）中、Ｒaiiiは、水素原子、又は直鎖状若しくは分岐鎖状Ｃ1〜Ｃ20アルキル基、Ｃ7〜Ｃ20アラルキル基又はＣ6〜Ｃ19アリール基を示す）。
【００２５】
前記Ｒai、Ｒaii及びＲaiiiとして好ましくは、水素原子；メチル、エチル、プロピル、イソプロピル、ｔｅｒｔ−ブチル、２−エチルヘキシル等のＣ1〜Ｃ8アルキル基；ベンジル、フェネチル、ナフチルメチル等のＣ7〜Ｃ11アラルキル基；フェニル、ナフチル等のＣ6〜Ｃ10アリール基が例示される。また、一般式（Ａ２ａ）においてｎは好ましくは１〜３、更に好ましくは２が挙げられる。
【００２６】
上記一般式（Ａ２）において置換基の好ましい組み合せとしては、Ｒa13〜a15が同一又は異なって水素原子又は水酸基であり、Ｘ2aが一般式（Ａ２ａ）で表わされる基であって、ｎ＝２である組み合せが挙げられる。このような置換基を有する上記一般式（Ａ２）で表わされるナフタレン系色素は、赤色を呈する。赤色のナフタレン系色素としてより具体的な化合物としては、１−（２，５−ジメチル−４−（２，５−ジメチルフェニルアゾ）フェニルアゾ）−２−ナフトールが例示され、「ＯＩＬ  ＲＥＤ  ５Ｂ」（オリエント化学工業（株）製）として市販されている。
【００２７】
（Ａ３）ペリノン系色素
本発明においてペリノン系色素としては、従来公知のものから適宜選択して用いることができ、好ましくは赤色系のペリノン系色素が挙げられる。ペリノン系色素としては、例えば下記一般式（Ａ３）によって表わされる化合物を使用することができる。
【化８】
2014012052.tif 000009
（式（Ａ３）中Ｒa16〜Ｒa27は、同一又は異なって、水素原子、水酸基、直鎖状又は分岐鎖状Ｃ1〜Ｃ10アルキル基、Ｃ7〜Ｃ20アラルキル基、Ｃ6〜Ｃ19アリール基、アルケニル基、Ｃ2〜Ｃ10アルキニル基、Ｃ1〜Ｃ10アルコキシ基、メルカプト基、複素環基、ハロゲン原子、シアノ基、アルデヒド基、カルボニル基、カルボキシル基、エステル基、カルバモイル基、アミノ基、ニトロ基、シリル基、シロキサニル基を示す）。
【００２８】
直鎖状又は分岐鎖状Ｃ1〜Ｃ10アルキル基として好ましくは、直鎖状又は分岐鎖状Ｃ1〜Ｃ8アルキル基が挙げられ、具体的にはメチル、エチル、プロピル、イソプロピル、ｔｅｒｔ−ブチル、２−エチルヘキシル等が例示される。Ｃ7〜Ｃ20アラルキル基として好ましくは、Ｃ7〜Ｃ11アラルキル基が挙げられ、具体的にはベンジル、フェネチル、ナフチルメチル等が例示される。Ｃ6〜Ｃ19アリール基として好ましくは、Ｃ6〜Ｃ10アリール基が挙げられ、具体的にはフェニル、ナフチル等が例示される。Ｃ6〜Ｃ19アルケニル基として好ましくは、Ｃ2〜Ｃ6アルケニル基が挙げられ、具体的にはビニル、アリル、イソプロペニル、１−ブテニル、２−ブテニル、３−ブテニル、１−ペンテニル、２−ペンテニル、３−ペンテニル、４−ペンテニル、１−ヘキセニル、２−ヘキセニル、３−ヘキセニル、４−ヘキセニル、５−ヘキセニル等が例示される。Ｃ2〜Ｃ10アルキニル基として好ましくは、Ｃ2〜Ｃ6の直鎖又は分岐鎖状アルキニル基が挙げられ、具体的にはエチニル、プロパルギル、２−ブチニル、１−メチル−２−プロパルギル、２−ペンチニル、２−ヘキシニル等が例示される。Ｃ1〜Ｃ10アルコキシ基として好ましくは、直鎖状又は分岐状Ｃ1〜Ｃ5アルコキシ基が挙げられ、具体的にはメトキシ、エトキシ、プロポキシ、イソプロポキシ、ブトキシ、イソブトキシ、ｓｅｃ−ブトキシ、ｔｅｒｔ−ブトキシペンチルオキシ、イソペンチルオキシ、ネオペンチルオキシ、ｔｅｒｔ−ペンチルオキシ等が例示される。複素環基として好ましくは、フリル、チエニル、ピロリル、ピラニル、チオピラニル、ピリジル、チアゾリル、イミダゾリル、ピリミジル、トリアジニル、インドリル、キノリル、プリニル、ベンゾチアゾリル等が例示される。ハロゲン原子として好ましくは、フッ素原子、塩素原子、臭素原子、ヨウ素原子等が例示される。
【００２９】
上記一般式（Ａ３）においてＲa9〜Ｒa20としては、更に好ましくは水素原子である。このような置換基を有する上記一般式（Ａ３）で表わされるペリノン系色素は、赤色を呈する。赤色のペリノン系色素としてより具体的な化合物としては、１４Ｈ−ベンゾ［４，５］イソキノ［２，１−ａ］ペリミジン−１４−オンが例示され、「ｋａｙａｓｅｔ  Ｒｅｄ  Ａ−２Ｇ」（日本化薬（株）製）として市販されている。
【００３０】
（Ａ４）キノリン系色素
キノリン系色素としては、例えば下記一般式（Ａ４）で表わされる化合物を挙げることができる。
【化９】
2014012052.tif 000010
（式（Ａ４）中、Ｒa28〜a33は、同一又は異なって、水素原子、水酸基、直鎖状又は分岐鎖状Ｃ1〜Ｃ10アルキル基、Ｃ7〜Ｃ20アラルキル基、Ｃ6〜Ｃ19アリール基、アルケニル基、Ｃ2〜Ｃ10アルキニル基、Ｃ1〜Ｃ10アルコキシ基、又は下記一般式（Ａ４ａ）で表わされる基、
【化１０】
2014012052.tif 000011
（式（Ａ４ａ）中、Ｒaiv〜aviiは、同一又は異なって、水素原子、水酸基、ハロゲン原子）を示す）
【００３１】
Ｒa28〜a33で示される直鎖状又は分岐鎖状Ｃ1〜Ｃ10アルキル基、Ｃ7〜Ｃ20アラルキル基、Ｃ6〜Ｃ19アリール基、アルケニル基、Ｃ2〜Ｃ10アルキニル基、Ｃ1〜Ｃ10アルコキシ基は、上記一般式（Ａ３）において具体的に例示される。また、Ｒaiv〜aviiで表わされるハロゲン原子についても上記一般式（Ａ３）において具体的に例示される。
【００３２】
上記一般式（Ａ４）において好ましい置換基の組み合わせとしては、Ｒa28〜a32が水素原子であり、Ｒa33が一般式（Ａ４ａ）で表わされる基であって、且つＲaiv〜aviiが水素原子の組み合せ挙げられる。このような置換基を有するキノリン系色素は黄色を呈する。黄色のキノリン系色素としてより具体的な化合物としては、２−（３−ヒドロキシ−２−キノリル）−１Ｈ−インデン−１，３（２Ｈ）−ジオンが例示され、「ｋａｙａｓｅｔ  Ｙｅｌｌｏｗ  Ａ−Ｇ」（日本化薬（株）製）として市販されている。
【００３３】
本発明の組成物は、色素と後述する紫外線吸収剤とを組み合わせて用いることによって効果的に退色を抑制することができ、赤色系色素を含む場合に本発明の効果がより一層顕著に発揮される。従って、本発明の組成物に配合される色素としては、赤色系色素を好適なものとして例示できる。赤色系色素としては前述の一般式（Ａ１）で表わされるアントラキノン系の赤色色素、（Ａ２）ナフタレン系色素、（Ａ３）ペリノン系色素等を例示することができ、好ましくはアントラキノン系の赤色色素及び／又はナフタレン系色素を挙げることができる。
【００３４】
以上の色素を１種単独で使用してもよく、２種以上を組み合わせて使用することもできる。本発明の組成物において色素の配合割合としては、特に限定されず、所望の色調となるように適宜設定することができるが、通常、液体芳香剤組成物全重量に対して０．０００１〜１重量％、好ましくは０．０００２５〜０．５重量％、更に好ましくは０．０００５〜０．１重量％が挙げられる。なお、色素を２種以上組み合わせて使用する場合、当該配合割合は本発明の組成物における色素の全重量の占める割合を表す。また、２種以上の色素を使用する場合の各色素の割合についても、所望の色調となるように適宜設定することができる。
【００３５】
（Ｂ）紫外線吸収剤
本発明は前記（Ａ）色素と、下記（Ｂ１）のトリアジン骨格を有する紫外線吸収剤を組み合わせて使用することにより、液体芳香剤組成物の退色を効果的に抑制することができる。
【００３６】
（Ｂ１）トリアジン骨格を有する紫外線吸収剤
本発明において（Ｂ１）のトリアジン骨格を有する紫外線吸収剤として下記一般式（Ｂ１）で示される化合物を使用することができる。
【化１１】
2014012052.tif 000012
（式中、Ｒb1、Ｒb2及びＲb3は、同一又は異なって、下記一般式（Ｂ１ａ）又は（Ｂ１ｂ）：
【化１２】
2014012052.tif 000013
（式（Ｂ１ａ）中、Ｒbiは水素原子又は直鎖状又は分岐鎖状Ｃ1〜Ｃ10アルキル基を表す）；
【化１３】
2014012052.tif 000014
（式（Ｂ１ｂ）中、Ｒbiiは直鎖状又は分岐鎖状Ｃ1〜Ｃ18アルキル基、Ｃ2〜Ｃ18アルケニル基又は式−ＣＨ2−ＣＨ（ＯＨ）−ＣＨ2−ＯＴ1（式中Ｔ1は水素原子又は直鎖状又は分岐鎖状Ｃ1〜Ｃ8アルキル基である）を表す）。
【００３７】
Ｒbiで示される直鎖状または分岐状Ｃ1〜Ｃ10アルキル基として好ましくは、直鎖状又は分岐鎖状Ｃ1〜Ｃ5アルキル基が挙げられ、具体的にはメチル、エチル、プロピル、イソプロピル、ｎ−ブチル、イソブチル、ｓｅｃ−ブチル、ｔｅｒｔ−ブチル、ｎ−ペンチル、イソペンチル、ネオペンチル、ｔｅｒｔ−ペンチル等が例示される。
【００３８】
Ｒbiiで示されるＣ1〜Ｃ18アルキル基として好ましくは、直鎖状又は分岐鎖状Ｃ1〜Ｃ6アルキル基が挙げられ、具体的にはメチル、エチル、プロピル、オクタデシル、エイコシル、イソプロピル、ｔｅｒｔ−ブチル、２−エチルヘキシル等が例示される。Ｃ2〜Ｃ18アルケニル基として好ましくは、Ｃ2〜Ｃ6アルケニル基が挙げられ、具体的にはビニル、アリル、イソプロペニル、１−ブテニル、２−ブテニル、３−ブテニル、１−ペンテニル、２−ペンテニル、３−ペンテニル、４−ペンテニル、１−ヘキセニル、２−ヘキセニル、３−ヘキセニル、４−ヘキセニル、５−ヘキセニル等が例示される。また、Ｔ1として好ましくは水素原子、又はＲbiについて例示される直鎖状又は分岐鎖状Ｃ1〜Ｃ5アルキル基が挙げられる。
【００３９】
一般式（Ｂ１）で表わされる１，３，５−トリアジン誘導体として好ましくは、Ｒb1が式（Ｂａ）であってＲiがメチル基、且つＲb2及びＲb3が式（Ｂｂ）であってＲiiが２−エチルヘキシル基である化合物が例示される。
【００４０】
１，３，５−トリアジン誘導体化合物の具体的化合物としては、「チノソルブＳ」（ＢＡＳＦ  ＣＡＮＡＤＡ  ＩＮＣ．製）として市販されているビスエチルへキシルオキシフェノールメトキシフェニルトリアジン、「サイアソーブＵＶ−１１６４」（日本サイテック  インダストリーズ（株）製）として市販されている２−［４，６−ジ（２，４−キシリル）−１，３，５−トリアジン−２−イル］−５−オクチルオキシフェノール、「ＴＩＮＵＶＩＮ４０６）（ＢＡＳＦ製）として市販されている２，４−ビス「２−ヒドロキシ−４−ブトキシフェニル］−６−（２，４−ジブトキシフェニル）−１，３−５−トリアジン、「Ｕｖｉｎｕｌ  Ｔ  １５０」（ＢＡＳＦ製）として市販されている２，４，６−トリス［４−（２−エチルヘキシルオキシカルボニル）アニリノ］１，３，５−トリアジン等が例示される。
【００４１】
上記（Ｂ１）成分として一般式（Ｂ１）で表わされる化合物を１種単独で使用してもよく、２種以上を組み合わせて使用することもできる。本発明において（Ｂ１）成分の配合割合は色素の退色が抑制され得る限り特に限定されないが、通常、０．００１〜５重量％、好ましくは０．００５〜３重量％、更に好ましくは０．０１〜１重量％が挙げられる。
【００４２】
また、（Ｂ１）成分に更に下記（Ｂ２）成分を併用することによって、色素の退色を抑制することに加え、成分の析出を抑制することもでき、特に揮散部材等を使用して本発明の液体芳香剤組成物を揮散させる場合、使用開始時と同等の良好な外観を保持することができる。（Ｂ２）成分として以下の（Ｂ２−１）及び（Ｂ２−２）の化合物を使用することができる。
【００４３】
（Ｂ２−１）シンナメート系紫外線吸収剤
本発明において（Ｂ２−１）成分のシンナメート系紫外線吸収剤として、例えば下記一般式（Ｂ２−１）で表わされる化合物を使用することができる。
【化１４】
2014012052.tif 000015
（式中、Ｒb4及びＲb5は同一又は異なって、水素原子、炭素原子、直鎖状または分岐状のＣ1〜Ｃ24アルキル基を表す）。
【００４４】
Ｒb4及びＲb5として好ましくは、水素原子、炭素原子、直鎖状又は分岐状Ｃ1〜Ｃ8アルキル基が例示され、具体的にはメチル、エチル、プロピル、イソブチル、ブチル、ｓｅｃ−ブチル、ペンチル、ネオペンチル、ヘキシル、２−エチルヘキシル等挙げられ、より好ましくは炭素原子、２−エチルヘキシルが挙げられ、更に好ましくはＲb4が炭素原子であり且つＲb5が２−エチルヘキシルである。
【００４５】
一般式（Ｂ２−１）のシンナメート系紫外線吸収剤の具体的化合物としては、「Ｐａｒｓｏｌ  ＭＣＸ」（ＤＳＭ社製）又は「ユビナールＭＣ８０」（ＢＡＳＦジャパン（株）製）として市販されている２−エチルヘキシル４−メトキシシンナメート又はシノキサート；「Ｎｅｏ  Ｈｅｌｉｏｐａｎ  Ｅ  １０００」（Ｓｙｍｒｉｓｅ社製）として市販されているイソアミルメトキシシンナメート；イソプロピルメトキシシンナメート；ジイソプロピルメトキシシンナメートが挙げられる。また、その他の一般式（Ｂ２−１）で表されるシンナメート系紫外線吸収剤の具体的化合物として、２−エトキシエチル−ｐ−メトキシシンナメート；２，２’−ビス（ｐ−メトキシスチリル）−エチル−ｐ−メトキシシンナメート；メチル−２，５−ジイソプロピルシンナメート等が例示される。本発明の（Ｂ２−１）成分として好ましくは２−エチルヘキシル４−メトキシシンナメートが挙げられる。
【００４６】
（Ｂ２−２）ベンゾフェノン系紫外線吸収剤
本発明において（Ｂ２−２）成分のベンゾフェノン系紫外線吸収剤として、例えば下記一般式（Ｂ２−２）で示される化合物を使用することができる。
【化１５】
2014012052.tif 000016
（式中、Ｒb6及びＲb7は、同一又は異なって、直鎖状若しくは分岐状Ｃ1〜Ｃ20アルキル基、Ｃ3〜Ｃ10シクロアルキル基、Ｃ2〜Ｃ10アルケニル基又はＣ3〜Ｃ10シクロアルケニル基を表し；Ｒb6及びＲb7はそれらが結合している窒素原子と共同して５又は６員環を形成可能であり、
Ｒb8及びＲb9は、同一又は異なって、直鎖状若しくは分岐状Ｃ1〜Ｃ20アルキル基、Ｃ3〜Ｃ10シクロアルキル基、Ｃ2〜Ｃ10アルケニル基又はＣ3〜Ｃ10シクロアルケニル基、Ｃ1〜Ｃ12アルコキシ基、Ｃ1〜Ｃ12アルコキシカルボニル基、Ｃ1〜Ｃ12アルキルアミノ基、ジＣ1〜Ｃ12アルキルアミノ基、アリール基又はヘテロアリール基；又はカルボキシラート基、スルホナート基若しくはアンモニウム基（ＮＨ3+）を示し；
ＸB2は水素原子又はＣＯＯＲbl又はＣＯＮＲbmＲbn基を示し；
Ｒbl、Ｒbm及びＲbnは同一又は異なって、水素原子、直鎖状または分岐状のＣ1〜Ｃ20アルキル基、Ｃ2〜Ｃ10アルケニル基、Ｃ3〜Ｃ10シクロアルキル基、Ｃ3〜Ｃ10シクロアルケニル基、−（ＹＯ）O−Ｚ基又はアリール基を示し；
Ｙは（ＣＨ2）2−、−（ＣＨ2）3−、−（ＣＨ2）4−又は−ＣＨ−（ＣＨ3）−ＣＨ2−を示し；Ｚは−ＣＨ2−ＣＨ3、−ＣＨ2ＣＨ2ＣＨ3、−ＣＨ2−ＣＨ2−ＣＨ2−ＣＨ3又は−ＣＨ（ＣＨ3）−ＣＨ3を示し；
ｍは０〜３の整数であり；ｎは０〜３の整数であり；ｏは１又は２である）。
【００４７】
直鎖状若しくは分岐状Ｃ1〜Ｃ20アルキル基としては、例えば：メチル、エチル、ｎ−プロピル、１−メチルエチル、ｎ−ブチル、１−メチルプロピル、２−メチルプロピル、１，１−ジメチルエチル、ｎ−ペンチル、１−メチルブチル、２−メチルブチル、３−メチルブチル、２，２−ジメチルプロピル、１−エチルプロピル、ｎ−ヘキシル、１，１−ジメチルプロピル、１，２−ジメチルプロピル、１−メチルペンチル、２−メチルペンチル、３−メチルペンチル、４−メチルペンチル、１，１−ジメチルブチル、１，２−ジメチルブチル、１，３−ジメチルブチル、２，２−ジメチルブチル、２，３−ジメチルブチル、３，３−ジメチルブチル、１−エチルブチル、２−エチルブチル、１，２，２−トリメチルプロピル、１−エチル−１−メチルプロピル、１−エチル−２−メチルプロピル、ｎ−ヘプチル、ｎ−オクチル、ｎ−ノニル、ｎ−デシル、ｎ−ウンデシル、ｎ−ドデシル、ｎ−トリデシル、ｎ−テトラデシル、ｎ−ペンタデシル、ｎ−ヘキサデシル、ｎ−ヘプタデシル、ｎ−オクタデシル、ｎ−ノナデシル又はｎ−エイコシルを挙げることができる。
【００４８】
Ｃ2〜Ｃ10アルケニル基としては、例えば：ビニル、ｎ−プロペニル、イソプロペニル、１−ブテニル、２−ブテニル、１−ペンテニル、２−ペンテニル、２−メチル−１−ブテニル、２−メチル−２−ブテニル、３−メチル−１−ブテニル、１−ヘキセニル、２−ヘキセニル、１−ヘプテニル、２−ヘプテニル、１−オクテニル又は２−オクテニルを挙げることができる。
【００４９】
Ｃ1〜Ｃ12アルコキシ基としては：メトキシ、エトキシ、ｎ−プロポキシ、ｎ−ブトキシ、ｎ−ペントキシ、１−メチルプロポキシ、３−メチルブトキシ、２，２−ジメチルプロポキシ、１−メチル−１−エチルプロポキシ、オクトキシ、２−メチルプロポキシ、１，１−ジメチルプロポキシ、ヘキソキシ、ヘプトキシ又は２−エチルヘキソキシを挙げることができる。
【００５０】
Ｃ3〜Ｃ10シクロアルキル基としては、例えば：シクロプロピル、シクロブチル、シクロペンチル、シクロヘキシル、シクロヘプチル、１−メチルシクロプロピル、１−エチルシクロプロピル、１−プロピルシクロプロピル、１−ブチルシクロプロピル、１−ペンチルシクロプロピル、１−メチル−１−ブチルシクロプロピル、１，２−ジメチルシクロプロピル、１−メチル−２−エチルシクロプロピル、シクロオクチル、シクロノニル又はシクロデシルを挙げることができる。
【００５１】
一又は複数の二重結合を有するＣ3〜Ｃ10シクロアルケニル基としては：シクロプロペニル、シクロブテニル、シクロペンテニル、シクロペンタジエニル、シクロヘキセニル、１，３−シクロヘキサジエニル、１，４−シクロヘキサジエニル、シクロヘプテニル、シクロヘプタトリエニル、シクロオクテニル、１，５−シクロオクタジエニル、シクロオクタテトラエニル、シクロノネニル又はシクロデセニルを挙げることができる。
【００５２】
シクロアルキル又はシクロアルケニル基は、例えば塩素、フッ素又は臭素等のハロゲン；シアノ；ニトロ；アミノ；Ｃ1〜Ｃ4アルキルアミノ；ジＣ1〜Ｃ4アルキルアミノ；Ｃ1〜Ｃ4アルキル；Ｃ1〜Ｃ4アルコキシ；又はヒドロキシルから選択される一又は複数（好ましくは１〜３）の置換基を有し得る。それらは、そのフリーの結合手が水素又はＣ1〜Ｃ4アルキル基により占有され得る１〜３のヘテロ原子、例えば硫黄、酸素又は窒素をさらに有してもよい。
【００５３】
アリール基は、好ましくは、例えば塩素、フッ素又は臭素等のハロゲン；シアノ；ニトロ；アミノ；Ｃ1〜Ｃ4アルキルアミノ；ジＣ1〜Ｃ4アルキルアミノ；Ｃ1〜Ｃ4アルキル；Ｃ1〜Ｃ4アルコキシ；又はヒドロキシルから選択される一又は複数（好ましくは１〜３）の置換基を有し得るフェニル又はナフチル環から選択される。特に好ましくは、フェニル、メトキシフェニル及びナフチルである。ヘテロアリール基は、一般的に、硫黄、酸素又は窒素から選択される一又は複数のヘテロ原子を含有する。
【００５４】
水溶性基は、例えばカルボキシラート又はスルホナート基であり、特に、それらの生理学的に許容可能なカチオンとの塩類、例えばアルカリ金属塩又はトリアルキルアンモニウム塩、例えばトリ（ヒドロキシアルキル）アンモニウム又は２−メチルプロパン−１−オール−２−アンモニウム塩である。
【００５５】
さらに、アンモニウム基、例えばアルキルアンモニウム、及びそれらの生理学的に許容可能なアニオンとの塩の形態を挙げることもできる。Ｒb6及びＲb7基と窒素原子とで形成される５又は６員環の例としては、特にピロリジン又はピペリジンを挙げることができる。アミノ基は、カルボニル基に対してオルト、メタ又はパラ位、好ましくはパラ位において、ベンゼン環に結合可能である。
【００５６】
上記一般式（Ｂ２−２）の好ましい化合物として、下記一般式（ＶＩａ）で表わされる化合物が挙げられる。
【化１６】
2014012052.tif 000017
［上式中：Ｒv1及びＲv2は同一又は異なっており、水素原子、又はＣ1−Ｃ12アルキル基を示すか、又はそれらが結合している窒素原子と共同して５−又は６員環を形成し；ＸvaはＣＯＯＲv5又はＣＯＮＲv6Ｒv7基を示し；Ｒv5は、水素原子、Ｃ1〜Ｃ12アルキル基又はＣ3〜Ｃ6シクロアルキル基を示し；Ｒv6及びＲ7は同一又は異なっており、水素原子、Ｃ1〜Ｃ12アルキル基又はＣ5〜Ｃ6シクロアルキル基を示す］から選択されるものが含まれる。
【００５７】
式（ＶＩａ）の好ましい化合物は：Ｒv1及びＲv2は同一又は異なって、Ｃ1〜Ｃ4アルキル基、好ましくはエチル基を示し；Ｒv5がＣ3〜Ｃ8アルキル基を示し；Ｒv6及びＲv7は同一又は異なってＣ1〜Ｃ8アルキル基を示す化合物が例示される。
【００５８】
上記一般式（Ｂ２−２）の好ましい化合物として、下記一般式（ＶＩｂ）で表わされる化合物が挙げられる。
【化１７】
2014012052.tif 000018
［上式中：Ｒv1及びＲv2は同一又は異なっており、Ｃ1〜Ｃ12アルキル基を示すか、又はそれらが結合している窒素原子と共同して５又は６員環を形成する］から選択されるものが含まれる。
【００５９】
式（ＶＩｂ）の化合物としては：−４−ジエチルアミノ−２−ヒドロキシフェニル−フェニルケトン、−４−ピロリジノ−２−ヒドロキシフェニル−フェニルケトンを挙げることができる。
【００６０】
上記一般式（Ｂ２−２）の好ましい化合物として、下記一般式（ＶＩｃ）で表わされる化合物が挙げられる。
【化１８】
2014012052.tif 000019
［上式中：Ｒv1及びＲv2は同一又は異なっており、水素原子、又はＣ1〜Ｃ8アルキル基を示すか、又はそれらが結合している窒素原子と共同して５又は６員環を形成し；Ｒv5は、水素原子、Ｃ1〜Ｃ12アルキル基又はＣ3〜Ｃ6シクロアルキル基を示す］から選択されるものが含まれる。
【００６１】
式（ＶＩｃ）の化合物としては：２−（４−ピロリジノ−２−ヒドロキシベンゾイル）ベンゾアート、２−（４−ジエチルアミノ−２−ヒドロキシベンゾイル）安息香酸メチル、２−（４−ジエチルアミノ−２−ヒドロキシベンゾイル）安息香酸２−エチルヘキシル、シクロヘキシル−２−（４−ジエチルアミノ−２−ヒドロキシベンゾイル）ベンゾアート、２−（４−ジエチルアミノ−２−ヒドロキシベンゾイル）安息香酸ｎ−ヘキシル、２−（４−ジブチルアミノ−２−ヒドロキシベンゾイル）ベンゾアート、２−（４−ジブチルアミノ−２−ヒドロキシベンゾイル）安息香酸メチル、２−（４−ジブチルアミノ−２−ヒドロキシベンゾイル）安息香酸イソブチルを挙げることができる。
【００６２】
一般式（Ｂ２−２）で表わされるベンゾフェノン系紫外線吸収剤の具体的化合物としては、「ユビナールＡ  ｐｌｕｓ」（ＢＡＳＦジャパン（株）製）として市販される２−［４−（ジエチルアミノ）−２−ヒドロキシベンゾイル］−安息香酸ｎ−ヘキシルが例示される。
【００６３】
上記（Ｂ２）成分として上記化合物を１種単独で使用してもよく、２種以上を組み合わせて使用することもできる。本発明の組成物における（Ｂ１）成分１重量部に対する（Ｂ２）成分の重量部は色素の退色が抑制される限り特に限定されず、色素の種類や配合量に応じて適宜設定され得るが、通常、０．１〜１０重量部、好ましくは０．２〜５重量部、更に好ましくは０．５〜２重量部が挙げられる。なお、（Ｂ２）成分を２種以上組み合わせて使用する場合、当該配合割合は本発明の組成物における紫外線吸収剤の全重量の占める割合を表す。
【００６４】
また、（Ａ）成分（色素）１重量部に対する配合した全ての紫外線吸収剤の合計重量部は、通常１０〜５００重量部、好ましくは２５〜３００重量部、更に好ましくは５０〜１５０重量部が挙げられる。
【００６５】
（Ｃ）香料
本発明において使用される香料としては、天然香料、天然香料から分離された単離香料、合成香料のいずれであってもよく、従来公知の香料から本発明の組成物に所望の香気を付与するように適宜選択して使用することができる。このような香料としては、リモネン、α−ピネン、カンフェン、ｐ−サイメン、フェンチェン等の炭化水素系香料；１，８−シネオール、ローズオキサイド、セドロールメチルエーテル（セドランバー）、ｐ−クレジルメチルエーテル、イソアミルフエェニルエチルエーテル、４−フェニル−２，４，６−トリメチル−１，３−ジオキサン、アネトール等のエーテル系香料；エチルアセテート、エチルプロピオネート、メチルブチレート、エチルイソブチレート、エチルブチレート、ブチルアセテート、エチル２−メチルブチレート、イソアミルアセテート、エチル２−メチルペンタノエート（マンザネート）、ヘキシルアセテート、アリルヘキサノエート、トリシクロデセニルプロピオネート（ＶＥＲＴＯＰＲＯ；フロロシクレン）、アリルヘプタノエート、イソボルニルアセテート、リナリルアセテート、シトロネリルアセテート、２−ｔｅｒ−ブチルシクロヘキシルアセテート（ナルシドール）等のエステル香料；
リナノール、３−オクタノール、２，６−ジメチル−ヘプタノール、１０−ウンデセノール、ゲラニオール、ネロール、シトロネロール、ロジノール、ミルセノール、テトラヒドロリナロール、ターピネオール、セドロール、２，４−ジメチル−３−シクロヘキサン−１−メタノール、４−イソプロピルシクロヘキサノール、ネロリドール、９−デセノール、シス−３−ヘキセノール、トランス−２−ヘキセノール、オイゲノール等のアルコール系香料；シトロネラール、パラアルデハイド、ベンズアルデヒド、アルデヒドＣ−６、アルデヒドＣ−７、  アルデヒドＣ−８、アルデヒドＣ−９、アルデヒドＣ−１０、トリプラール、ｐ−エチルジメチルヒドロシンナミックアルデヒド（フローラゾン）、２−トリデセナール、アルデヒドＣ１１等のアルデヒド系香料が例示される。
【００６６】
また、本発明における（Ｃ）成分として精油等の天然香料を使用することもできる。精油としては、ペパーミント油、ペリラ油、プチグレン油、パイン油、ローズ油、ローズマリー油、しょう脳油、芳油、クラリーセージ油、サンダルウッド油、スペアミント油、スパイクラベンダー油、スターアニス油、ラバンジン油、ラベンダー油、レモン油、レモングラス油、ライム油、ネロリ油、オークモス油、オコチア油、パチュリ油、タイム油、トンカ豆チンキ、テレピン油、バジル油、ナツメグ油、シトロネラ油、クローブ油、ボアドローズ油、カナンガ油、カルダモン油、カシア油、シダーウッド油、オレンジ油、マンダリン油、タンジェリン油、アニス油、ベイ油、コリアンダー油、エレミ油、ユーカリ油、フェンネル油、ガルバナム油、ゼラニウム油、ヒバ油、桧油、ジャスミン油、ベチバー油、ベルガモット油、イランイラン油、グレープフルーツ油、ゆず油、チュベローズ油等が例示される。
【００６７】
これらの香料は、１種単独で使用してもよく、また２種以上を任意に組み合わせて調香して使用することもできる。
【００６８】
また、本発明で使用する香料の特性としては、揮散により空間に香気を付与することができる限り特に限定されないが、例えば、２５℃における蒸気圧が、０．５ｍｍＨｇ以上、好ましくは０．６ｍｍＨｇ以上、更に好ましくは０．７ｍｍＨｇ以上のものが望ましい。かかる特性を備える香料であれば、揮散用の液体芳香剤組成物としてより優れた芳香作用を発揮することができる。なお、２種以上の成分の混合物からなる芳香成分を使用する場合、上記蒸気圧は該混合物自体が示す値である。
【００６９】
本発明において香料の配合割合は、本発明の組成物に香気を付与できる量であれば特に限定されないが、例えば０．５〜２０重量％、好ましくは１〜１５重量％が挙げられる。香料を２以上組み合わせて使用する場合、当該配合割合は香料の合計量に基づく配合割合を表す。
【００７０】
（Ｄ）溶剤
本発明において（Ｄ）成分として表わされる溶剤は、上記（Ａ）〜（Ｃ）成分を溶解可能であればその種類は特に限定されず、従来公知のものから適宜選択して用いることができるが、例えばメタノール、エタノール、プロパノール、イソプロパノール、ブタノール、イソブタノール、ｓｅｃ−ブタノール、ｔ−ブタノール、ペンタノール、ヘキサノール、シクロヘキサノール、ベンジルアルコール等のアルコール類；エチレングリコール、ジエチレングリコール、トリエチレングリコール、ポリエチレングリコール、プロピレングリコール、ジプロピレングリコール、ポリプロピレングリコール、ブチレングリコール、ヘキサンジオール、ペンタンジオール、グリセリン、ヘキサントリオール、チオジグリコール等の多価アルコール類；エチレングリコールモノメチルエーテル、エチレングリコールモノエチルエーテル、エチレングリコールモノブチルエーテル、ジエチレングリコールモノメチルエーテル、ジエチレングリコールモノブチルエーテル、プロピレングリコールモノメチルエーテル、プロピレングリコールモノブチルエーテル、ジプロピレングリコールモノメチルエーテル、トリエチレングリコールモノメチルエーテル、エチレングリコールジアセテート、エチレングリコールモノメチルエーテルアセテートトリエチレングリコールモノエチルエーテル、エチレングリコールモノフェニルエーテル等のグリコール誘導体；エタノールアミン、ジエタノールアミン、トリエタノールアミン、Ｎ−メチルジエタノールアミン、Ｎ−エチルジエタノールアミン、モルホリン、Ｎ−エチルモルホリン、エチレンジアミン、ジエチレントリアミン、トリエチレンテトラミン、ポリエチレンイミン、テトラメチルプロピレンジアミン等のアミン；ホルムアミド、Ｎ，Ｎ−ジメチルホルムアミド、Ｎ，Ｎ−ジメチルアセトアミド、ジメチルスルホキシド、スルホラン、２−ピロリドン、Ｎ−メチル−２−ピロリドン、Ｎ−ビニル−２−ピロリドン、２−オキサゾリドン、１，３−ジメチル−２−イミダゾリジノン、アセトニトリル、アセトン等が挙げられる。また、イソパラフィン系溶剤を使用することもできる。イソパラフィン系溶剤として好ましくは沸点が１００〜３００℃、好ましくは１５０〜２５０℃のものを挙げることができる。本発明において（Ｄ）成分として、これらの溶剤の中から１種を単独で使用することもでき、２種以上を組み合わせて用いることもできる。
【００７１】
本発明において（Ｄ）成分として好ましい溶剤は、ジプロピレングリコールモノメチルエーテル等のグリコール誘導体、イソパラフィン系溶剤等が挙げられる。また、イソパラフィン系溶剤は商業的に入手可能であり、具体的にはアイソパーＭ、アイソパーＧ（いずれもエクソンモービル有限会社製）等のイソパラフィン系炭化水素が挙げられる。
【００７２】
本発明において（Ｄ）溶剤の配合割合は、上記成分を溶解させることが可能な量であれば特に限定されず、他の成分の配合量、溶解度等に応じて適宜設定することが可能であるが、通常、７５〜９９重量％が挙げられる。溶剤を２以上組み合わせて使用する場合、当該配合割合は溶剤の合計量に基づく配合割合を表す。
【００７３】
（Ｅ）その他の成分
本発明の組成物は、本発明の効果を妨げない範囲で、上記成分の他に、水；非イオン界面活性剤（ポリオキシエチレンアルキルエーテル、ポリオキシエチレン硬化ひまし油）、アニオン界面活性剤、両界面活性剤等の界面活性剤；１，２−ベンズイソチアゾリン−３−オン、２ｎ−オクチル−イソチアゾリン−３−オン等の防腐剤；酸化防止剤；前記以外の紫外線吸収剤等の添加剤を含有してもよい。その他の成分の配合割合としては、例えば０．００１〜５重量％、好ましくは０．００５〜３重量％、更に好ましくは０．０１〜１重量％が挙げられる。
【００７４】
本発明の液体芳香剤組成物は、上記各成分を所定量混合することにより得ることができる。混合の順序や条件は特に限定されないが、例えば、香料に紫外線吸収剤を添加し、必要に応じて加温しながら溶解させた後、溶剤及び色素を添加して行うことができる。
【００７５】
本発明の液体芳香剤組成物は、トリアジン骨格を有する紫外線吸収剤を含有することにより退色が抑制されることから、透明部分を有する容器に収容されて使用された場合にも使用開始時と同様の鮮やかな色彩を維持することができる。また、トリアジン骨格を有する紫外線吸収剤に加え、シンナメート系紫外線吸収剤及び／又はベンゾフェノン系紫外線吸収剤を添加することによって、揮散に伴う成分の析出が抑制され、良好な外観を維持することができるものであることから、本発明の組成物は揮散部材を介する揮散に好適に使用される。
【００７６】
揮散器
本発明は、更に、前記液体芳香剤組成物を揮散部材を介して揮散させるための揮散器を提供する。このような揮散器としては、本発明の液体芳香剤組成物中に木質材料からなる揮散部材の少なくとも一部を浸漬させ、当該揮散部材の一部を揮散対象空間（例えば空気中）に露出させることにより、揮散部材によって液体芳香剤組成物の吸い上げと揮散を行う揮散器を挙げることができる。より具体的には、開口部を有する液体容器と、木質材料からなる揮散部材と、当該液体容器に収容された本発明の組成物とを含んで構成され、当該揮散部材の少なくとも一部が本発明の組成物に浸漬され、且つ当該揮散部材の少なくとも一部が当該開口部から空気中に露出可能に設置されているものが例示される。
【００７７】
液体容器については、本発明による色素の退色抑制効果がより一層顕著に発揮されることから、少なくとも一部に透明部分を有しているものであることが好ましい。このような液体容器の素材としては、例えばガラス、ポリエチレンテレフタラート（ＰＥＴ）、ポリエチレン（ＰＥ）、ポリプロピレン（ＰＰ）等が挙げられ、本発明の液体芳香剤組成物を収容する液体容器として好ましくはガラス製やＰＥＴ製のものが挙げられる。
【００７８】
本発明において揮散器に収容される液体芳香剤組成物には、前記トリアジン骨格を有する紫外線吸収剤に加え、シンナメート系紫外線吸収剤及び／又はベンゾフェノン系紫外線吸収剤を含有していることが望ましい。これらの紫外線吸収剤を組み合わせて含有することにより、色素の退色抑制に加えて、成分の析出が効果的に抑制される。従って、揮散材を介して空気中に揮散させる場合でも揮散部材状に成分が析出して外観を損なうことがなく、使用開始時の色調及び外観を維持することができる。
【００７９】
揮散部材の素材として好ましくは天然素材が挙げられ、より具体的には、木片、籐、竹、ソラ等の木質材料が例示される。揮散部材として使用される木片は、必要に応じて樹皮を剥離し、乾燥させて使用することができる。
【００８０】
このような態様の揮散器において、揮散部材として使用される木片の形状については、特に制限されないが、断面積が０．７５〜１５ｍｍ2程度で長さが５〜３０ｃｍ程度の棒状の形状が好ましく、１つの揮散器において、同一又は異なる形状の木片を複数使用してもよい。本揮散器に設置される揮散部材（例えば木片）の数については、揮散部材の大きさや揮散対象空間の広さ等に応じて適宜設定される。
【００８１】
また、本発明の組成物を含む揮散器の他の実施態様として、本発明の組成物を揮散部材に含浸させたもの（例えば、液体芳香剤組成物を含浸させた木片等）が挙げられる。このような態様において、揮散部材として使用される揮散部材の形状は、ブロック状、棒状、球状等のいずれの形状でもよく、同一又は異なる形状の揮散部材を複数組み合わせて使用してもよい。
【００８２】
また、本発明は、前記一部に透明部分を有し、紫外線波長の少なくとも一部が透過できる液体容器に充填された態様の所謂詰め替え用の液体芳香剤組成物をも提供する。
【実施例】
【００８３】
以下に実施例及び比較例を示して本発明を更に詳細に説明するが、本発明はこれらに限定されない。
【００８４】
下表１に示される組成の赤色系の液体芳香剤組成物及び下表２に示される処方の青色系液体芳香剤組成物をそれぞれ調製した。液体芳香剤組成物の調製は、（Ａ）〜（Ｄ）成分を混合することにより行った。混合は、まず（Ｃ）香料に（Ｂ）紫外線吸収剤を添加し、６０℃で加温しながら溶解した後、（Ａ）色素及び（Ｄ）溶剤を添加して行った。
【００８５】
得られた液体芳香剤組成物について、退色及び成分の析出について評価を行った。評価方法は以下の通りである。
［退色評価方法］
退色評価は、大阪府茨木市において３〜５月に行われた。液体芳香剤組成物を、下表１に示される結果については２週間又は下表２に示される結果については２か月間窓際に静置して日光を照射した後、目視により退色を確認した。なお、各液体芳香剤組成物が置かれた環境の温度は外気温と同じであった。また、退色の程度については、日光に照射する前の液体芳香剤組成物の色調と比較し、下記評価基準に基づいて評価を行った。
×：使用開始時と比べて色調が無色透明に近く、退色が認められる。
○：使用開始時と比べてわずかに色調が薄い
◎：使用開始時と同じ色調
【００８６】
［析出評価方法］
析上記退色評価方法に記載の環境条件のもと、容器に入れた液体芳香剤組成物中に籐の木片（断面積７ｍｍ2；長さ：１８ｃｍ；８本）を挿入し、下表１に示される結果については２週間、下表２に示される結果については２カ月間窓際に静置して、目視により析出を確認した。析出の評価基準は以下に示される。
×：析出が認められる
○：析出が全く認められない
【００８７】
評価開始前の赤色系液体芳香剤組成物の代表例（実施例１）を図１に示す。赤色系の液体芳香剤組成物の組成及び評価結果を表１、青色系液体芳香剤組成物の組成及び評価結果を表２に示す。下表１及び２に記載される各処方に使用した（Ａ）〜（Ｄ）成分について具体的には以下の通りである。
ｋａｙａｓｅｔ  ｒｅｄ  １３０：日本化薬（株）製
ｏｉｌ  Ｂｌｕｅ  ６５０Ｍ：オリエント化学工業（株）製
チノソルブ  Ｓ（ビスエチルヘキシルオキシフェノールメトキシフェニルトリアジン）：BASF CANADA INC.製
ユビナールＭＣ８０（2-エチルヘキシル4-メトキシシンナマート）：ＢＡＳＦジャパン（株）製
ユビナールＡ  ｐｌｕｓ（2-[4-(ジエチルアミノ)-2-ヒドロキシベンゾイル]-ベンゾイックアシッドヘキシルエステル）
：ＢＡＳＦジャパン（株）製
Ｆａｉｒｙ  Ｒｏｓｅ  ７０７７４／４：Ｇｉｖａｕｄａｎ製
アクアスパ  ＢＲ０９４６８：小川香料（株）製
ＤＰＭ：ジプロピレングリコールモノメチルエーテル
アイソパーＭ（イソパラフィン系溶剤：沸点２２５℃）：エクソンモービル有限会社製
アイソパーＧ（イソパラフィン系溶剤：沸点１６７℃）：エクソンモービル有限会社製
【表１】
2014012052.tif 000020
【００８８】
表１に示される結果より、実施例１（（Ｂ１）トリアジン骨格を有する紫外線吸収剤）の場合には色素の退色が抑制された。しかし、実施例１の処方では、液体芳香剤組成物の成分が揮散部材上に析出した。これに対し、実施例２〜８の結果より、紫外線吸収剤（Ｂ１）及び（Ｂ２）を組み合わせて配合することにより、液体芳香剤組成物の退色及び揮散部材上への成分の析出の両方が効果的に抑制されることが示された。一方、比較例１〜３の結果より、紫外線吸収剤（Ｂ２）を含むが紫外線吸収剤（Ｂ１）を含有しない処方では、成分の析出は抑制されるものの、色素の退色抑制効果については十分とは言えない結果となった。また、紫外線吸収剤を含まない処方（比較例４）は、析出はなかったものの色素の退色が認められた。
【００８９】
また、図２は、実施例１と比較例４の液体芳香剤組成物について退色評価を行った結果を示す写真である。図２に示されるように、比較例４はほぼ無色透明を呈しており、明らかな退色が認められた。これに対し、実施例１は使用開始前の鮮やかな赤色を維持しており、退色抑制効果が顕著であることが示された。更に、図３は、実施例１と実施例７の液体芳香剤組成物について析出評価を行った結果を示す写真である。図３に示されるように、実施例１では明らかな析出が認められるのに対し、紫外線吸収剤（Ｂ１）及び（Ｂ２）の両方を含む実施例７では全く析出は認められず、揮散部材を用いて揮散させた場合も良好な外観を維持できることが示された。
【００９０】
【表２】
2014012052.tif 000021
【００９１】
表２に示されるように、赤色系処方と同様に、紫外線吸収剤（Ｂ１）及び（Ｂ２）を組み合わせて配合した場合に色素の退色と成分の析出が抑制されることが示された。
【００９２】
［処方例］
下表３に処方例を示す。これらの処方例として示される液体芳香剤組成物は、上記退色及び析出の評価方法に従って評価を行ったところ、いずれも使用開始前の鮮やかな色調が維持され、揮散部材を用いて揮散させた場合にも成分の析出が抑制されて良好な外観を呈するものであった。
【表３】
2014012052.tif 000022
各処方例に使用した（Ａ）〜（Ｄ）成分について具体的には以下の通りである。
ＫＡＹＡＳＥＴ  ＧＲＥＥＮ  Ａ−Ｇ：日本化薬（株）製
ＫＡＹＡＳＥＴ  ＹＥＬＬＯＷ  Ａ-Ｇ：（日本化薬（株）製）
ＫＡＹＡＳＥＴ  ＲＥＤ  Ａ−２Ｇ：日本化薬（株）製
ＫＡＹＡＳＥＴ  ＢＬＵＥ  Ｎ（日本化薬（株）製）
ＯＩＬ  ＲＥＤ  ５Ｂ：オリエント化学工業（株）製
チノソルブ  Ｓ（ビスエチルヘキシルオキシフェノールメトキシフェニルトリアジン）：BASF CANADA INC.製
ユビナールＭＣ８０（2-エチルヘキシル4-メトキシシンナマート）：ＢＡＳＦジャパン（株）製
ユビナールＡ  ｐｌｕｓ（2-[4-(ジエチルアミノ)-2-ヒドロキシベンゾイル]-ベンソ゛イックアシッドヘキシルエステル）
：ＢＡＳＦジャパン（株）製
ユビナール  Ａ  Ｐｌｕｓ  Ｂ：BASF SE(Societas Europaea)製
（ユビナールＭＣ８０とユビナールＡ  ｐｌｕｓの混合物）
Ｆａｉｒｙ  Ｒｏｓｅ  ７０７７４／４：Ｇｉｖａｕｄａｎ製
アクアスパ  ＢＲ０９４６８：小川香料（株）製
ＧＯＵＴＡＬＩＡ  ２２７６４５  Ｆ：FIRMENICH AROMATICS(CHINA) Co.Ltd製
ＬＵＣＫＬＩＡ  ２２７６６７      ：FIRMENICH AROMATICS(CHINA) Co.Ltd製
ＤＰＭ：ジプロピレングリコールモノメチルエーテル
アイソパーＭ（イソパラフィン系溶剤：沸点２２５℃）：エクソンモービル有限会社製
アイソパーＧ（イソパラフィン系溶剤：沸点１６７℃）：エクソンモービル有限会社製
【図１】
2014012052.tif 000026
【図２】
2014012052.tif 000027
【図３】
2014012052.tif 000028